Podtech/llm-jp-corpus-v4-ja_patent huggingface dataset:
(57)【要約】【課題】試験仕様書、試験の実施、試験結果およびマニュアル作成までの工程を一元化し、システム設計者の負担を軽減し、かつ、信頼性の高いシステムを実現することのできるシステムテスト装置を得る。【解決手段】画面構成部品の位置、表示内容、動的または静的識別子の一部か複数または全部で入力対象または出力対象が確定される。前記画面構成部品の種類によって入力情報または出力情報が確定される。前記入力対象または出力対象と前記入力情報または出力情報を試験項目の操作または検証の順番に従ってビジュアル的に編集していく事によって試験仕様書およびマニュアルを作成することができ、編集された試験仕様書を元に自動試験が実行でき、試験結果として試験項目毎に対応してエビデンスを取得し出力する【選択図】図１
2012022661.tif 000002
【特許請求の範囲】
【請求項１】
画面構成部品の位置、表示内容、動的、または静的識別子の一部か複数または全部を用いて試験対象の画面構成部品を識別する画面構成部品の識別部と、画面構成部品の種類から試験対象の入力情報を識別する画面構成部品への入力部と、前記画面構成部品の種類および表示内容から試験対象の出力情報を識別する画面構成部品からの出力部を有し、試験項目の操作の順番に前記識別部および前記入力部を編集し、前記試験項目の検証の順番に前記識別部および前期出力部を編集して試験仕様書およびマニュアルを作成し、試験仕様書から自動試験が実行でき、前記自動試験から試験結果を作成することを特徴とした装置である
【請求項２】
請求項１の自動試験では、検証が正常だったと識別した場合と、操作または検証時に異常を識別した場合にエビデンスを取得し、請求項１の編集画面に試験項目毎に対応して出力でき、請求項１の試験結果に試験項目毎に対応して出力されることを特徴とした装置である
【請求項３】
請求項１の自動試験では、１つまたは複数の試験仕様書を登録することができ、任意で順番を変更でき、任意の回数を指定して繰り返し自動試験を実施することができることを特徴とした装置である
【請求項４】
請求項１の自動試験では、１つまたは複数の操作および検証時にディレイを設定することができ、前記１つまたは複数の操作および検証は、任意のタイミングで停止および再開を設定でき、停止の際はユーザー入力ができ、任意の設定により、１つまたは複数の検証をユーザーが合否または保留の判定を行うことができることを特徴とした装置である
【請求項５】
請求項１の自動試験では、試験対象ソフトウェアを新規に起動させるか、既に起動しているものかを任意に設定できる
【発明の詳細な説明】
【発明の詳細な説明】
【技術分野】
【０００１】本発明は、ソフトウェア試験を実施する際に高度な専門性を有した試験仕様書と煩雑なソフトウェア試験およびマニュアル作成の作業工程を一体化して、試験仕様書からマニュアルを作成し、自動試験を実施し、試験結果を取得するシステムに関するものである
【背景技術】
【０００２】従来のソフトウェア自動試験では、試験仕様書から前期自動試験を実行するまでの構想か、設計仕様書、試験仕様書、プログラム操作履歴を経てマニュアルを作成するという大掛かりなものであり、自動試験に際しても入力データを解析するための入力データ処理プログラム仕様と入力データのパラメータを抽出するパラメータ解析部と、前記入力データ処理プログラム仕様を解析し、前記パラメータ解析部で抽出したパラメータの範囲を抽出するパラメータ範囲解析部を必要とする重厚なものであった【０００３】従来のマニュアル作成支援システムでは、テスト項目に従った操作履歴を必須とするが、これは試験対象物がそれなりに動作するか、または完成していなければ実施出来ない事を意味する【０００４】更に、試験は正常系、異常系、負荷系に大別されるが、自動試験では考慮されておらず、正常系だけの試験に特化していたため異常系や負荷系は試験されなかった【０００５】また、試験段階では試験対象ソフトウェアは未完成であるため、試験項目を全て実行することは出来ず、エラーが出た操作または検証の段階で試験を中止しなければならず、潜在的な不具合を１つづつしか検出できなかったため、１つの不具合改修毎にしか作業を明確にできず、不具合の合計が幾つになるかは完成しないと把握できず、作業工数を見積もることができなかった
【特許文献１】特開２００６−２２１４４７号公報
【特許文献２】特開２００９−１６９７３１号公報
【発明が解決しようとする課題】
【０００６】上述した試験仕様書作成から自動試験実施さらに下流工程のマニュアル作成を一体化することによって作業工程を跨ぐ際の情報の漏れ、整合性の確認、煩雑な作業の軽減および作業時間の短縮を図ることを目的とする
【０００７】昨今試験は多種多様化しており、正常系ばかりでなく、複雑な操作を伴う異常系試験や負荷系試験に重点が置かれているため、複数の試験仕様書を定義し、繰り返し自動試験を実施できるシステムを構築することを目的とする
【０００８】潜在的な不具合を明確にするためには、既知の不具合検証を保留して次の操作を実行できる環境を構築できるシステムを目的とする
【０００９】本発明は、操作の履歴（過去の操作）では無く、編集作業をもって試験仕様書が作成でき、マニュアルも作成できる。これは、ソフトウェアを作成段階から同時に試験仕様書およびマニュアルも作成できる点からも証明できる。ソフトウェアを作成段階から同時に試験仕様書およびマニュアルも作成できることを目的とする
【課題を解決するための手段】
【００１０】本発明は、試験仕様書およびマニュアルを作成する為の画面構成部品の位置、表示内容、動的、または静的識別子の一部か複数または全部を用いて試験対象の画面構成部品を識別する画面構成部品の識別部と、画面構成部品の種類から試験対象の入力情報を識別する画面構成部品への入力部と、前記画面構成部品の種類および表示内容から試験対象の出力情報を識別する画面構成部品からの出力部を有し、試験項目の操作の順番に前記識別部および前記入力部を編集し、前記試験項目の検証の順番に前記識別部および前期出力部を編集する手段を備えたものである
【００１１】上述した試験仕様書から自動試験を実施し、エラーを検知し、任意のタイミングで停止、再開ができ、停止の際はユーザー入力ができ、任意のタイミングでディレイを設定でき、任意の回数繰り返し自動試験を再現できる手段を備えたものである
【発明の効果】
【００１２】本発明では、設計仕様書の枠に留まらず、画面構成部品に対して任意の操作を設定でき、煩雑な試験操作と、正常系、異常系および負荷系の自動試験をサポートし、潜在的な不具合を洗い出せ、試験仕様書、試験結果およびマニュアルを作成することで、設計者、プログラム開発者、マニュアル作成者、および試験担当者の負担を軽減し、かつ、信頼性の高いシステムを実現することのできるシステム装置を得ることができる。
【発明を実施するための最良の形態】
【図面の簡単な説明】
【００１３】
【図１】は、本発明の実施のフローチャートである
【図１】
2012022661.tif 000003
(57)【要約】      （修正有）【課題】唱題する題目の数を正確に把握することを可能にする。【解決手段】唱題する題目をはじめ入力した音声をマイクで集音・記憶し、あらかじめ多くの人の特定の題目フレーズの音声を集録し、その特徴を蓄積しデータ化されたものと唱題する題目を照合し、一致した特定の題目フレーズを確定して数として回数へ変換する。題目を設定時間内に何遍唱えるかを設定すると、その題目の数は回数として表示され、月初めに設定すると、ひと月に合計何遍唱えたかも分かるようにした。また、何遍唱えるかをあらかじめ回数を設定すると、それに要した時間を表示することもできる。これはオートカレンダーと電波時計を内蔵している。【選択図】図２
2012022428.tif 000002
【特許請求の範囲】
【請求項１】
あらかじめ多くの人の特定の題目フレーズを唱える音声を集音記憶し、その音声の特徴を蓄積しデータ化したものと、マイクで集音・入力された音声を照合し、特定の題目フレーズと合致した音声を拾い出し確定し、それは数として記憶されて回数に変換されることを特徴とする題目カウント計。
【請求項２】
、題目を何遍唱えるか時間を設定すると、その設定時間内に唱えた回数を表示するし、またひと月に合計何遍唱えたかも分かることを特徴とする請求項1記載の題目カウント計。
【請求項３】
題目を何回唱えるか回数を設定すると、唱えるのに要した時間を表示することを特徴とする請求項1記載の題目カウント計。
【請求項４】
電波時計とオートカレンダーを内蔵する。
【発明の詳細な説明】
【技術分野】
【０００１】
本発明は、題目をどれだけ唱えたかの確認が容易なカウント計に関するものである。
【背景技術】
【０００２】
唱えた題目の数を唱えた回数で表示する。
【０００３】
しかし、従来はあらかじめ何分で何遍唱えられるか唱題する時間を決めて題目を唱えていた。
【０００４】
この欠点は、決めた時間内でどれだけ唱えられるかその時の唱える速さが一定ではなく、正確に掌握することができないなどの問題があった。
【０００５】
この改善策として、正確に何遍唱えたかを分かるようにした。
【先行技術文献】
【特許文献】
【０００６】
【特許文献１】特開平１０−２０７９０８公開
【発明の概要】
【発明が解決しようとする課題】
【０００７】
解決しようとする問題点は、あらかじめ何分で何遍唱えられるか決めて題目を唱えるのでなくして、目標の数だけ正確に唱える事ができる点である。
【課題を解決するための手段】
【０００８】
本発明は、唱えた題目の数を回数として数字で表示すことを最も主要な特徴とする。
【発明の効果】
【０００９】
本発明の題目カウント計は、唱えた題目をマイクで集音して、その数を回数に変換して表示するという利点がある。
【図面の簡単な説明】
【００１０】
【図１】図１は題目カウント計の構成を示した説明図である。
【図２】図２は題目カウント計の外観を示した斜視図である。
【発明を実施するための形態】
【００１１】
特定題目のフレーズの音声を多数の人から集音して、その特徴だけを記憶させておき、唱題する人の題目がそれに合致した場合は、数として記憶され、その回数を表示することが可能になるよう実現した。
【実施例１】
【００１２】
唱えた題目を集音・記憶するマイクとしての音声入力部1がある。
【００１３】
多くの人の特定題目のフレーズを集音・記憶し、その特徴をデータとして蓄積しておく特定フレーズ蓄積データ記憶部２がある。
【００１４】
唱題する人の題目はマイクを通して音声入力部1に記憶され、特定題目のフレーズの数だけ拾い上げ、特定フレーズ蓄積データ記憶部２と照合し、合致した特定題目のフレーズの数をそのつど確定し、フレーズ合致照合確定記憶部３に記憶される。
【００１５】
フレーズ合致照合確定記憶部３に記憶された特定題目のフレーズは、その数だけ合致フレーズの回数変換記憶部4で回数として変換される。
【００１６】
どれだけの時間を特定題目のフレーズを唱えたか回数・時間切換ボタン７で時間に切換えると、設定時間が設定時間表示部８で示され、時間設定記憶部９で唱えた時間が記憶され、回数を時間への変換記憶部１５と時間内で何回唱えたかを設定時間内回数決定記憶部１０で決定され、回数表示部１１で表示する。
【００１７】
何回特定題目のフレーズを唱えるかをあらかじめ決めて、回数・時間切換ボタン７で回数を設定すると、その回数を設定回数表示部１２で表示され、回数設定記憶部１３で記憶された回数と合致フレーズの回数変換記憶部4との回数の合致をみたら、回数を時間への変換記憶部１５での時間と設定回数所要時間決定記憶部１６で合致した所要時間が所要時間表示部１７で表示される。
【００１８】
電波時計とオートカレンダーを内蔵することにより、月日・時刻を月日・時刻表示部２０に表示する。
【００１９】
合致フレーズの回数変換記憶部4で記憶された回数は月初めに月間唱題累計設定ボタンで設定すると、ひと月トータル計算記憶部５で月間集計をされ、月間回数表示部６で表示される。
【符号の説明】
【００２０】
１    音声入力部
２    フレーズ蓄積データ記憶部
３    フレーズ合致照合確定記憶部
４    合致フレーズの回数変換記憶部
５    ひと月トータル計算記憶部
６    月間回数表示部
７    回数/時間切換ボタン
８    設定時間表示部
９    時間設定記憶部
１０  設定時間での回数決定記憶部
１１  回数表示部
１２  設定回数表示部
１３  回数設定記憶部
１４  回数合致決定記憶部
１５  回数を時間への変換記憶部
１６  設定回数に要する時間決定記憶部
１７  所要時間表示部
１８  CPU
１９  バッテリー
２０  月日時刻表示部
【図１】
2012022428.tif 000003
【図２】
2012022428.tif 000004
(57)【要約】      （修正有）【課題】電子機器画面との間に空気層を膨らみ状に残すことなく取り付けられ、使用時に見栄えが良く表面操作性に優れる表示画面保護用シートを提供する。【解決手段】表示画面保護用シートは、透明プラスチックシート基材の裏面周縁位置に沿って、再剥離性糊よりなる不連続に形成された多数の貼り付け部により貼り付けられ電子機器画面の表面に位置するように用いる。貼り付け部が不連続であるので、その貼り付けた状態において貼り付け部が存在しない部分が空気流通路を形成する。その空気流通路を介して表示画面保護用シートと電子機器画面の表面との間の空気は外部空間に排出され、その部分に膨らみ状の空気層が残ることがない。これにより、電子機器画面の表面に取り付けられた表示画面保護用シート面の平滑性が保たれる。貼り付け部は例えばドット印刷形成によりなされる。【選択図】なし【特許請求の範囲】
【請求項１】
透明プラスチックシート基材の裏面周縁位置に沿って、再剥離性糊よりなる多数の貼り付け部が不連続に形成されてなる表示画面保護用シート。
【請求項２】
前記貼り付け部が、ドット印刷形成されてなる請求項１記載の表示画面保護用シート。
【請求項３】
前記貼り付け部が、前記透明プラスチックシート基材の裏面周縁位置に沿って形成されたカラー印刷層上に形成されてなる請求項１記載の表示画面保護用シート。
【発明の詳細な説明】
【技術分野】
【０００１】
この発明は、各種電子機器の表示画面を保護するように用いられる表示画面保護用シートの改良に関する。
【背景技術】
【０００２】
携帯電話機やコンピュータの表示画面には、その表面が損傷しないように透明プラスチックシートよりなる表示画面保護用シートが取り付けられる。その取り付けは再剥離性糊が付された裏面がその全体において、また周縁において貼り付けられて行われている。一方、最近の電子機器の場合、表示画面を操作面と兼用するものが増えている。
【発明の概要】
【発明が解決しようとする課題】
【０００３】
上記のような表示画面を操作面と兼用するものでは、操作上その表面が面一であることが好ましいが、従来のものでは電子機器画面と表示画面保護用シートとの間に空気層が膨らみ状に残ることで操作面が面一とならず、操作性が悪くなる問題があった。
【０００４】
この発明では、電子機器画面との間に空気層を膨らみ状に残すことなく取り付けられ、表面操作性に優れる表示画面保護用シートを提供することを目的とする。
【課題を解決するための手段】
【０００５】
この発明では、透明プラスチックシート基材の裏面周縁位置に沿って、再剥離性糊よりなる多数の貼り付け部が不連続に形成されてなる表示画面保護用シートを提供する。
【０００６】
上記構成の表示画面保護用シートは、透明プラスチックシート基材の裏面周縁位置に沿って、再剥離性糊よりなる不連続に形成された多数の貼り付け部により貼り付けられ電子機器画面の表面に位置するように用いられる。貼り付け部が不連続であるので、その貼り付けた状態において貼り付け部が存在しない部分が空気流通路を形成する。その空気流通路を介して表示画面保護用シートと電子機器画面の表面との間の空気は外部空間に排出され、その部分に膨らみ状の空気層が残ることがない。これにより、電子機器画面の表面に取り付けられた表示画面保護用シート面の平滑性が保たれる。
【０００７】
貼り付け部は例えばドット印刷形成によりなされる。また、貼り付け部が透明プラスチックシート基材の裏面周縁位置に沿って形成されたカラー印刷層上に形成されることで、貼り付け部が表面側から目に触れず意匠性に優れたものとなる。
【発明の効果】
【０００８】
この発明によれば、電子機器画面との間に空気層を膨らみ状に残すことなく取り付けられ、使用時に見栄えが良いとともに表面操作性に優れる表示画面保護用シートが得られる。
【図面の簡単な説明】
【０００９】
【図１】この発明の表示画面保護用シートの表面側外観斜視図
【図２】この発明の表示画面保護用シートの裏面側部分拡大平面図
【図３】この発明の表示画面保護用シートの使用時の要部拡大断面図
【発明を実施するための形態】
【００１０】
図１はこの発明の表示画面保護用シートの表面側外観斜視図、図２は同裏面側部分拡大平面図である。
【００１１】
表示画面保護用シート１は長方形（１８×２４ｃｍ）で、ＰＥＴ（ポリエチレンテレフタレート）樹脂よりなる透明プラスチックシート基材２の表面の全体に透明のハードコート層４が塗布形成されるとともに、裏面周縁位置に沿って１．５ｃｍ巾において黒色の印刷層６が塗布形成され、その印刷層６上に円形の多数の貼り付け部８が再剥離性糊がドット印刷されることで形成されている。貼り付け部８はその直径が１．５ｍｍ程度で斜め方向に互いが１ｍｍの間隔を保つように多数段並設配置されている。
【００１２】
図３は表示画面保護用シート１が取り付け使用された際の周縁位置の断面構成を示す。表示画面保護用シート１は貼り付け部８のそれぞれが電子機器Ｄの表示操作画面１０の周縁面１２に貼り付けられて取り付けられている。その際、印刷層６の貼り付け部８が存在しない部分が周縁面１２に密着しないことで、貼り付け部８それぞれの周囲には極小隙間形態の空気流通路１４が交差状に形成され、その空気流通路１４を介して表示画面保護用シート１の内面と電子機器Ｄの表示操作画面表面１０との間の空気は外部空間Ｋに排出され、その部分に膨らみ状の空気層が残ることが回避される。その結果、電子機器Ｄの表示操作画面表面１０に取り付けられた表示画面保護用シート１表面の平滑性が保たれ、これにより良好な表面操作性が得られ、また、表面に凹凸が無いことで見栄えも良いものとなる。
【００１３】
貼り付け部８は黒色の印刷層６上に形成されるので、表面側から見た場合にはその印刷層６により覆われて目に触れることがなくて見栄え良くなっている。なお、この表示画面保護用シート１は、製品の提供に際してはその表面、裏面の両面に保護フィルムが貼り付けられた状態で提供され、それらフィルムが取り外されて使用される。
【符号の説明】
【００１４】
１ 表示画面保護用シート
２ 透明プラスチックシート基材
８ 貼り付け部
【図１】
2012022291.tif 000002
【図２】
2012022291.tif 000003
【図３】
2012022291.tif 000004
(57)【要約】      （修正有）【課題】メールもしくは双方の通話をコピー用紙に出力する。【解決手段】人工頭脳により解析し、通話、メール等の双方の内容を記録用紙に出力する。メールそして（Ａ）側からの通話内容と（Ｂ）よりの通話内容をコピー複写用紙に出力する。故に通話もしくはメールを用紙にメモすることが、人工頭脳を持つことにより可能となる。【選択図】図２
2012022280.tif 000002
【特許請求の範囲】
【請求項１】
Ｖｏｉｃｅ  Ｗｒｉｔｅ  Ｍｅｍｏ
【請求項２】
ボイスライトメモ
【発明の詳細な説明】
【技術分野】
【０００１】
【背景技術】
【０００２】Ｖｏｉｃｅ  Ｗｒｉｔｅ  Ｍｅｍｏ
【先行技術文献】
【特許文献】
【特許文献】Ｖｏｉｃｅ  Ｗｒｉｔｅ  Ｍｅｍｏ
【０００３】
【特許文献１】ボイスライトメモ
【発明の概要】
双方の通話を録画してコピー用紙とします
【発明が解決しようとする課題】電話器のメール、送受信をコピーして記録用紙とします
【課題を解決するための手段】通話をコピーする、双方の通話をふく写記録用紙とします
【発明の効果】その解拆力が人工知脳と成り得ます
【図面の簡単な説明】電話機
【図１】電話機
【発明を実施するための形態】
メール、双方の通話をコピー記録用紙とします
【実施例】ありません
【産業上の利用可能性】双方の通話、メールの控えが取れて電話で商取り引きできるようになります。
業務ストックがたやすいです。
【符号の説明】図１  図２
【図１】
2012022280.tif 000003
【図２】
2012022280.tif 000004
【手続補正書】
【提出日】平成23年3月7日(2011.3.7)
【手続補正２】
【補正対象書類名】明細書
【補正対象項目名】全文
【補正方法】変更
【補正の内容】
【発明の詳細な説明】
【技術分野】
【０００１】
【背景技術】
【０００２】Ｖｏｉｃｅ  Ｗｒｉｔｅ  Ｍｅｍｏ
【先行技術文献】
【特許文献】
【特許文献】Ｖｏｉｃｅ  Ｗｒｉｔｅ  Ｍｅｍｏ
【０００３】
【特許文献１】ボイスライトメモ
【発明の概要】
双方の通話を録画してコピー用紙とします。
【発明が解決しようとする課題】電話機のメール、送受信をコピーして記録用紙とします。
【課題を解決するための手段】通話をコピーする、双方の通話をふく写記録用紙とします。
【発明の効果】その解析力が人工知脳と成り得ます
【図面の簡単な説明】電話機
【図１】電話機
【図２】Ｖｏｉｃｅ  Ｗｒｉｔｅ  Ｍｅｍｏを示す図（Ａ）（Ｂ）を（Ｃ）で受けてＤで録画してコピー用紙記載メモとします。
【発明を実施するための形態】
メール、双方の通話をコピー記録用紙とします
【実施例】ありません
【産業上の利用可能性】双方の通話、メールの控えが取れて電話で商取り引きできるようになります。
業務ストックがたやすいです
【符号の説明】（図２）で
（Ａ）（Ｂ）を（Ｃ）で受けて（Ｄ）で録画してコピー用紙記載メモ可能とします  その解析力は人工頭脳にひってきして電子頭脳可とします。
【手続補正３】
【補正対象書類名】図面
【補正対象項目名】全図
【補正方法】変更
【補正の内容】
【図１】
2012022280.tif 000005
【図２】
2012022280.tif 000006
(57)【要約】      （修正有）【課題】塵や埃の存在する環境でデジタルカメラのレンズ交換を行うと、カメラ内部特に撮像素子に塵や埃が付着し、撮影した画像にノイズが混入することが報告されている。そこで塵や埃が存在する環境下で、カメラの撮像素子を汚さずにレンズ交換できる、無塵レンズ交換装置を提案する。【解決手段】この装置には、カメラ本体および交換レンズを収納した後、内部の空気を循環させ清浄化する機能、すなわち送風機１０とそれに装着した空気フィルター９により、一定時間送風機を稼動させて内部の空間を清浄化する機能がある。内部の空間が清浄化された後、レンズをカメラ本体に装着することで、カメラ本体にある撮像素子に塵や埃を付着させることが無く、レンズ交換作業を行うことができる。またこのクリーンな環境と筐体内部の乾燥箱８を使い、レンズやカメラ本体をカビや埃から守り、保管する機能も合わせて有する。【選択図】図２
2012022279.tif 000002
【特許請求の範囲】
【請求項１】
レンズ交換が可能なカメラを入れることができる筐体とその筐体の内部空間の塵や埃を内部にある送風機と空気フルターで、その内部の空気を循環させることにより、清浄化する手段を有し、その筐体に気密状態でレンズ交換作業を行うため、手を挿入できる柔軟性のある、袋状の装置を有するカメラのレンズ交換装置。
【請求項２】
請求項１において筐体内部の空気を乾燥させる、乾燥剤を入れたカメラレンズ交換装置兼カメラ、レンズ保管装置
【発明の詳細な説明】
【技術分野】
【０００１】  デジタル１眼レフカメラはレンズ交換ができるのが特徴であるが、レンズ交換の時、撮像素子に塵や埃が付着する危険があるが、この発明はレンズ交換の時、携帯できるクリーンな環境を提供するものである。またこのクリーンな空間に乾燥した空間を付加しレンズやカメラ本体をカビから守る機能も合わせて有する。
【背景技術】
【０００２】１眼レフカメラはレンズ交換できることが特徴であるが、レンズ交換時カメラの内部に塵や埃が侵入する欠点が有る。特に最近主流となったデジタル１眼レフカメラの場合、ＣＣＤなどの撮像素子に塵や埃が付着し、撮影した画像にノイズが入ることが知られている。この問題をカメラ側で対策する技術は各種提案されているが、根本的な対策になっておらず、撮像素子が汚れた場合非常にデリケートな作業になる、撮像素子のクリーニングが必要で有った。
【先行技術文献】
【特許文献】
【０００３】
【特許文献１】  公開特許公報  特開２００６−３１３２５３では１眼レフカメラの開口部に１組のレンズを挿入しその前に（被写体側）に交換レンズを挿入することにより、カメラ内部に塵や埃が入らない構造としたが、この場合使える交換レンズに大きな制約が生じる課題がある。
【特許文献２】  公開特許公報  特開２００５−２４９０５では汚れてしまった撮像素子のクリーニング装置の提案である。
【非特許文献】
【０００４】
【非特許文献１】  現在販売されている１眼レフカメラには手ぶれ補正のために装着されている撮像素子駆動装置を使い、撮像素子を振動させることにより、付着した塵や埃を除去するものが販売されている。（ＳＯＮＹ製１眼レフカメラカタログ添付）
【非特許文献２】  カメラ、レンズ乾燥保管箱の事例
【発明の概要】
【発明が解決しようとする課題】
【０００５】１眼レフカメラはレンズ交換ができるところに価値があるが、そのときに撮像素子が汚れてしまう危険が伴う。そこで塵や埃の多い環境でも撮像素子やカメラ内部を汚さないでレンズを交換できる手段を提供する。またこの綺麗な環境に乾燥した空間も付加しカメラ本体や交換レンズをカビや錆びから守ることが出来る。
【課題を解決するための手段】
【０００６】レンズを装着したカメラ本体またはレンズ装着部に蓋をしたカメラ本体と交換したいレンズを本装置に挿入した後、この装置内部に有り、内部の空気を循環させる、送風機と空気フィルターで、空気を清浄化する機能を作動させ、塵や埃が少なくなった後、この装置に付属した手袋を介して外部から手でレンズ交換作業を行うことで、カメラ内部全体や撮像素子に塵や埃を付着させずにレンズ交換作業を行うことができる。またこの装置の内部で空気を循環させる構造にしたため、内部に乾燥材を入れることにより、清浄で乾燥した空気を筐体内部に提供できる。
【発明の効果】
【０００７】この装置に付属する空気清浄化機能により、塵や埃の非常に少ない環境でレンズ交換作業を行うことにより、カメラ内部や撮像素子に汚れが着くことを防止し、撮影した画像にノイズが混入することを防ぐことができる。また撮像素子の汚れの付着を未然に防止することができるので、技能を必要とする、撮像素子のクリーニング作業が不要になる。またクリーンで乾燥した環境を使いレンズやカメラ本体を保管する空間を提供する。
【図面の簡単な説明】
【０００８】
【図１】本無塵レンズ交換装置兼カメラ、レンズ乾燥保管箱の正面図−１、蓋を閉めた状態
【図２】本無塵レンズ交換装置兼カメラ、レンズ乾燥保管箱の正面図−２  蓋を取り去り内部を見た状態
【図３】本無塵レンズ交換装置兼カメラ、レンズ乾燥保管箱の右側面図−１
【図４】本無塵レンズ交換装置兼カメラ、レンズ乾燥保管箱の左側面図−２
【発明を実施するための形態】
【０００９】本無塵レンズ交換装置兼カメラ、レンズ乾燥保管箱には透明な蓋２がある、その蓋を開けレンズ交換したいカメラを入れる。その後交換したいレンズも同様に装置内部に入れる。そして送風機１０の電源を入れると送風機に装着した空気フィルターを通過した、清浄な空気が筐体内部を循環する。すると徐々に筐体内部は清浄な空気に満たされる。そのタイミングで本装置の両端から手操作用グローブ６，７を通して手でレンズ交換作業を行う。レンズ交換作業終了後は透明な蓋４を開き交換作業の終了したカメラを取り出す。またこの筐体内部に装着した乾燥材を入れた乾燥箱８が有るため、内部は乾燥状態を維持している、そこでこの筐体はレンズやカメラ本体を埃やカビから守る機能を有し、交換レンズやカメラ本体を収納、保管する機能も合わせて有する。
【実施例】
【００１０】
【産業上の利用可能性】
【００１１】１眼レフカメラはアマチュアカメラマンだけでなく新聞社等報道機関でも多く使われているが、取材記者やカメラマンが現地でレンズ交換作業を行うとき撮像素子の汚れによる画像劣化のリスクを気にせずに、レンズ交換作業ができ大変便利である。また取材中のカメラやレンズを乾燥状態で保管する機能も有する。
【符号の説明】
【００１２】１．本無塵レンズ交換装置兼カメラ、レンズ乾燥保管箱の筐体である。
２．本装置の開閉可能で透明な蓋である。
３．本装置の蓋の支点となる蝶番である。
４．これも蝶番である。
５．本装置の透明蓋を開閉するとき使うノブである。
６．本装置を使いレンズ交換作業を行うとき手を挿入するグローブである。
７．同様にグローブである。
８．本装置の内部空間を乾燥状態に保つために入れる乾燥剤を入れる箱である。
９．本装置の内部を清浄な環境に保つため内部の空気を循環させる送風機の送る空気を清浄化する空気フィルターである。
１０．本装置の内部を清浄な環境に保つため内部の空気を循環させる送風機である。
【図１】
2012022279.tif 000003
【図２】
2012022279.tif 000004
【図３】
2012022279.tif 000005
【図４】
2012022279.tif 000006